(57)【要約】【課題】再生フレームレートとは異なる撮影フレームレートで記録された動画データを再生する場合に、動画の視認者（視聴者）がその動画記録時における時間の経過状態を適切に確認できるようにする。【解決手段】指定された再生フレームレートとは異なる撮影フレームレートで記録された動画データを再生する場合に（図５のステップＢ１１）、その動画データを構成する各フレーム画像を再生フレームレートに応じた速度で逐次再生するが、その際、再生中のフレーム画像に対して、その動画記録時の経過時間に関する情報を撮影フレームレートに基づいて算出し（ステップＢ１２）、この動画記録時の経過時間に関する情報を案内情報として、再生中のフレーム画像と共に表示する（ステップＢ１４）。【選択図】  図５
2015226306.tif 000002
【特許請求の範囲】
【請求項１】
指定された再生フレームレートとは異なる撮影フレームレートで記録された動画データを再生する場合に、その動画データを構成する各フレーム画像を前記再生フレームレートに応じた速度で逐次再生する再生手段と、
前記再生手段による再生中のフレーム画像に対して、その動画記録時の経過時間に関する情報を前記撮影フレームレートに基づいて算出する第１の算出手段と、
前記第１の算出手段によって算出された動画記録時の経過時間に関する情報を案内情報として、前記再生中のフレーム画像と共に表示する案内情報表示手段と、
を備えたことを特徴とする動画データ再生装置。
【請求項２】
前記再生手段による再生中のフレーム画像の個々に対して、その再生時の経過時間に関する情報を前記再生フレームレートに基づいて算出する第２の算出手段を更に備え、
前記案内情報表示手段は、前記第２の算出手段によって算出された再生時の経過時間に関する情報を案内情報として、前記再生中のフレーム画像と共に表示する、
ことを特徴とする請求項１に記載の動画データ再生装置。
【請求項３】
前記案内情報表示手段は、前記第１の算出手段によって算出された動画記録時の経過時間に関する情報を、前記再生中のフレーム画像と共に表示する否かを所定の条件に応じて制御する、
ことを特徴とする請求項１又は請求項２に記載の動画データ再生装置。
【請求項４】
前記案内情報表示手段は、前記撮影フレームレートと前記再生フレームレートとが異なることを条件として、前記第１の算出手段によって算出された動画記録時の経過時間に関する情報を、前記再生中のフレーム画像と共に表示する、
ことを特徴とする請求項３に記載の動画データ再生装置。
【請求項５】
前記案内情報表示手段は、前記撮影フレームレートが前記再生フレームレートよりも速いことを条件として、前記第１の算出手段によって算出された動画記録時の経過時間に関する情報を、前記再生中のフレーム画像と共に表示する、
ことを特徴とする請求項４に記載の動画データ再生装置。
【請求項６】
前記案内情報表示手段は、所定の撮影フレームレートに応じた表示サイズで動画データを再生することを条件として、前記第１の算出手段によって算出された動画記録時の経過時間に関する情報を前記再生中のフレーム画像と共に表示する、
ことを特徴とする請求項３に記載の動画データ再生装置。
【請求項７】
前記案内情報表示手段は、前記第１の算出手段によって算出された動画記録時の経過時間に関する情報と前記第２の算出手段によって算出された動画再生時の経過時間に関する情報とを同時に前記案内情報として前記再生中のフレーム画像と共に表示する
ことを特徴とする請求項２に記載の動画データ再生装置。
【請求項８】
前記案内情報表示手段は、前記動画記録時の経過時間に関する情報については、１フレーム毎に異なる経過時間を前記案内情報として表示し、前記動画再生時の経過時間に関する情報については、複数フレーム毎に異なる経過時間を前記案内情報として表示する
ことを特徴とする請求項７に記載の動画データ再生装置。
【請求項９】
前記案内情報表示手段は、前記動画記録時の経過時間に関する情報については、１０分の１秒以下の単位で経過時間を変化させて前記案内情報として表示し、前記動画再生時の経過時間に関する情報については、１秒以上の単位で経過時間を変化させて前記案内情報として表示する
ことを特徴とする請求項８に記載の動画データ再生装置。
【請求項１０】
前記再生手段による動画データの再生中に、再生を一時停止する再生速度制御手段を更に備え、
前記案内情報表示手段は、前記再生速度制御手段により再生が一時停止された場合に、前記動画再生時の経過時間の変化及び前記動画再生時の経過時間の変化を一時停止する、
ことを特徴とする請求項７に記載の動画データ再生装置。
【請求項１１】
時刻情報を計時する計時手段を更に備え、
前記案内情報表示手段は、前記計時手段によって計時された時刻情報を、前記再生速度制御手段により再生が一時停止された場合であっても時刻の経過を一時停止することなく、前記再生中のフレーム画像と共に表示する、
ことを特徴とする請求項１〜請求項７のいずれか１項に記載の動画データ再生装置。
【請求項１２】
指定された再生フレームレートとは異なる撮影フレームレートで記録された動画データを再生する場合に、その動画データを構成する各フレーム画像を前記再生フレームレートに応じた速度で逐次再生するが、その際、前記再生中のフレーム画像に対して、その動画記録時の経過時間に関する情報を前記撮影フレームレートに基づいて算出するステップと、
前記算出された動画記録時の経過時間に関する情報を案内情報として、前記再生中のフレーム画像と共に表示するステップと、
を含むことを特徴とする動画データ再生方法。
【請求項１３】
コンピュータに対して、
指定された再生フレームレートとは異なる撮影フレームレートで記録された動画データを再生する場合に、その動画データを構成する各フレーム画像を前記再生フレームレートに応じた速度で逐次再生する機能と、
前記再生中のフレーム画像に対して、その動画記録時の経過時間に関する情報を前記撮影フレームレートに基づいて算出する機能と、
前記算出された動画記録時の経過時間に関する情報を案内情報として、前記再生中のフレーム画像と共に表示する機能と、
を実現させるためのプログラム。
【発明の詳細な説明】
【技術分野】
【０００１】
本発明は、動画データを再生する動画データ再生装置、動画データ再生方法及びプログラムに関する。
【背景技術】
【０００２】
従来、デジタルカメラなどの撮像装置においては、動画撮影時にその経過時間を個々のフレーム画像内に映し込んで記録しておくことで、動画データの再生時にその視認者（視聴者）が動画記録（撮影）時における時間の経過状態を確認することができるようにした技術が知られている（例えば、特許文献１）。また、動画記録（撮影）時の経過時間を個々のフレーム画像内に映し込んで記録しておかなくとも、記録開始時刻と、動画データに含まれる各フレームの再生タイミングの情報に基づいて、動画記録時の経過時間（時刻）を算出し、この経過時間（時刻）を各フレーム画像内に合成して表示するようにした技術も知られている（例えば、特許文献２）。
【先行技術文献】
【特許文献】
【０００３】
【特許文献１】特開平７−３１２７３８号公報
【特許文献２】特開２００２−２８１４５５号公報
【発明の概要】
【発明が解決しようとする課題】
【０００４】
上述の特許文献２の技術において視認者（視聴者）は、動画記録時の経過時間が個々のフレーム画像内に映し込まれていない動画データの再生時に、一時停止や早送りなどように再生速度の変更が行われた場合であっても、動画記録時における時間の経過状態を確認することができるようになるが、この技術においては、あくまでも再生フレームレートと撮影フレームレートが同じである場合を前提としており、再生フレームレートと撮影フレームレートが異なる場合には、動画記録時における時間の経過状態を視認者（視聴者）が正しく確認することができないという問題があった。
【０００５】
本発明の課題は、再生フレームレートとは異なる撮影フレームレートで記録された動画データを再生する場合に、動画の視認者（視聴者）がその動画記録時における時間の経過状態を適切に確認できるようにすることである。
【課題を解決するための手段】
【０００６】
上述した課題を解決するために本発明の動画データ再生装置は、
指定された再生フレームレートとは異なる撮影フレームレートで記録された動画データを再生する場合に、その動画データを構成する各フレーム画像を前記再生フレームレートに応じた速度で逐次再生する再生手段と、
前記再生手段による再生中のフレーム画像に対して、その動画記録時の経過時間に関する情報を前記撮影フレームレートに基づいて算出する第１の算出手段と、
前記第１の算出手段によって算出された動画記録時の経過時間に関する情報を案内情報として、前記再生中のフレーム画像と共に表示する案内情報表示手段と、
を備えたことを特徴とする。
【０００７】
上述した課題を解決するために本発明の動画データ再生方法は、
指定された再生フレームレートとは異なる撮影フレームレートで記録された動画データを再生する場合に、その動画データを構成する各フレーム画像を前記再生フレームレートに応じた速度で逐次再生するが、その際、前記再生中のフレーム画像に対して、その動画記録時の経過時間に関する情報を前記撮影フレームレートに基づいて算出するステップと、
前記算出された動画記録時の経過時間に関する情報を案内情報として、前記再生中のフレーム画像と共に表示するステップと、
を含むことを特徴とする。
【０００８】
上述した課題を解決するために本発明のプログラムは、
コンピュータに対して、
指定された再生フレームレートとは異なる撮影フレームレートで記録された動画データを再生する場合に、その動画データを構成する各フレーム画像を前記再生フレームレートに応じた速度で逐次再生する機能と、
前記再生中のフレーム画像に対して、その動画記録時の経過時間に関する情報を前記撮影フレームレートに基づいて算出する機能と、
前記算出された動画記録時の経過時間に関する情報を案内情報として、前記再生中のフレーム画像と共に表示する機能と、
を実現させる。
【発明の効果】
【０００９】
本発明によれば、再生フレームレートとは異なる撮影フレームレートで記録された動画データを再生する場合に、動画の視認者（視聴者）にあってはその動画記録時における時間の経過状態を適切に確認しながら動画を鑑賞することが可能となる。
【図面の簡単な説明】
【００１０】
【図１】動画データ再生装置として適用したデジタルカメラの基本的な構成要素を示したブロック図。
【図２】（１）は、ハイスピード撮影時のモニタ画面を例示し、（２）は、ハイスピード撮影された動画の再生画面を例示した図。
【図３】動画撮影モードが選択された際に実行開始される動画撮影処理を示したフローチャート。
【図４】動画再生モードが選択された場合に実行開始される動画再生処理を示したフローチャート。
【図５】図４の動作に続く動画再生処理を示したフローチャート。
【発明を実施するための形態】
【００１１】
以下、図１〜図５を参照して本発明の実施形態を説明する。
図１は、動画データ再生装置として適用したデジタルカメラの基本的な構成要素を示したブロック図である。
このデジタルカメラは、被写体を高精細に撮影可能な撮像機能（静止画撮影機能、動画撮影機能）、現在日時やタイマ時間を計時する計時機能、記録保存されている撮影済み画像（保存画像）を任意に読み出して再生する画像再生機能などの機能を備えたコンパクトカメラで、特に、通常の動画撮影時のフレームレート（例えば、３０ｆｐｓ）よりも速い（高い）フレームレートで高速度撮影するハイスピード撮影機能を備えている。このハイスピード撮影機能は、例えば、複数のフレームレート“１２０ｆｐｓ”、“２４０ｆｐｓ”、“４８０ｆｐｓ”、“１０００ｆｐｓ”の中から任意のフレームレートをユーザ操作によって選択されると、この選択されたフレームレートで高速度撮影を行う機能である。
【００１２】
制御部１は、電源部（二次電池）２からの電力供給によって動作し、記憶部３内に格納されている各種のプログラムに応じてこのデジタルカメラの全体動作を制御するもので、この制御部１には図示しないＣＰＵ（中央演算処理装置）やメモリなどが設けられている。記憶部３は、例えば、ＲＯＭ、フラッシュメモリなどを有する構成で、後述する図３〜図５に示した動作手順に応じて本実施形態を実現するためのプログラムや各種のアプリケーションなどが格納されているプログラムメモリ３Ａと、フラグなどを一時記憶するワークメモリ３Ｂと、撮影された画像を圧縮記録して保存する画像メモリ３Ｃなどを有している。なお、記憶部３は、例えば、ＳＤカード、ＩＣカードなど、着脱自在な可搬型メモリ（記録メディア）を含む構成であってもよく、図示しないが、通信機能を介してネットワークに接続されている状態においては所定のサーバ装置側の記憶領域を含むものであってもよい。
【００１３】
操作部４は、図示省略したが、押しボタン式の各種のキーを備えている。例えば、撮影が可能な動作モード（撮影モード）と、撮影済み画像（保存画像）を再生する動作モード（再生モード）とを切り替えたり、更に撮影モードとして、動画撮影モードなどに切り替えたりするモード変更ボタンと、動画撮影開始／終了を指示する動画撮影開始／終了ボタンと、動画再生開始／終了を指示する動画再生開始／終了ボタンと、露出やシャッタスピードなどの撮影条件を設定する設定ボタンなどを備えている。制御部１は、この操作部４からの入力操作信号に応じた処理として、例えば、モード変更処理、撮影処理、撮影条件の設定処理などを実行する。
【００１４】
撮像部５は、図示しないが、光学レンズからの被写体画像が撮像素子（ＣＣＤやＣＭＯＳなど）に結像されることにより被写体を高精細に撮影することが可能なもので、撮影レンズ、撮像素子、ストロボ、各種のセンサ、アナログ処理部、デジタル処理部を有している。この撮像部５によって撮影された画像は、画像圧縮処理が施された後、ＳＤカードなどの画像メモリ３Ｃに記録保存される。タッチ表示部６は、高精細液晶などの表示画面上に透明のタッチパネルが積層されたもので、各種のソフトウェアキー（タッチキー）を割り当て配置してその機能名を表示したり、指などによるタッチ操作を感知してそのタッチ操作に応じた操作信号を入力したりする。タッチ表示部６の表示画面は、撮像された画像（ライブビュー画像）をリアルタイムに表示するモニタ画面（ライブビュー画面）となったり、撮影済み画像を再生する再生画面となったりする。
【００１５】
図２（１）は、ハイスピード撮影時のモニタ画面を例示し、図２（２）は、ハイスピード撮影された動画の再生画面を例示した図である。
図２（１）に示すようにハイスピード撮影時のモニタ画面には、撮影中の画像（動画データを構成する各フレーム画像）が逐次モニタ表示されると共に、撮影中の画像（各フレーム画像）を表示しているモニタ画面の隅部（図中、右上角部）に動画記録（撮影）時の経過時間に関する情報が合成表示される。この動画記録時の経過時間に関する情報は、ハイスピード撮影の開始からの経過時間を時分秒で示した案内情報であり、図示の例の“００時間００分０５秒”は、動画撮影の開始時から５秒が経過したタイミングであることを示している。更に、モニタ画面には、ハイスピード撮影時にユーザ操作によって任意に選択された撮影フレームレート、図示の例では、“ＨＳ（ハイスピード）２４０（２４０ｆｐｓ）”が案内情報として表示され、また、現在の年月日時分情報、図示の例では、“１４年０２月１０日８時５６分”が案内情報として表示される。
【００１６】
この場合、ハイスピード撮影された動画の再生時に、撮影時のフレームレート（撮影フレームレート）とは異なるフレームレートを再生時のフレームレート（再生フレームレート）としてユーザ操作により任意に選択可能となっている。例えば、撮影フレームレート（“１２０ｆｐｓ”、“２４０ｆｐｓ”、“４８０ｆｐｓ”、“１０００ｆｐｓ”）よりも遅い（低い）再生フレームレート（例えば、３０ｆｐｓ、６０ｆｐｓ）が指定されると（特にユーザが指定しなければデフォルトの再生フレームレートである３０ｆｐｓが選択される）、つまり、撮影フレームレートが再生フレームレートよりも速い場合には、ハイスピード撮影された動画データを構成する各フレーム画像は、選択された再生フレームレートに応じてスローモーション再生される。ここで、動画データの再生時において、所定の撮影フレームレート（“１２０ｆｐｓ”、“２４０ｆｐｓ”、“４８０ｆｐｓ”、“１０００ｆｐｓ”）に応じた表示サイズで動画データが再生画面に表示される。例えば、撮影フレームレートが“１２０ｆｐｓ”であれば、６４０×４８０ドットの表示サイズ、“２４０ｆｐｓ”であれば、５１２×３８４ドットの表示サイズで再生される。
【００１７】
図２（２）に示すようにハイスピード撮影された動画の再生画面には、再生中の画像（動画データを構成する各フレーム画像）が逐次表示再生されると共に、再生中の画像（各フレーム画像）を表示しているモニタ画面の隅部（図中、右上角部）に動画再生時の経過時間に関する情報が合成表示される。この動画再生時の経過時間に関する情報は、動画再生の開始からの経過時間を時分秒で示した案内情報であり、図示の例の“００時間００分４１秒”は、再生の開始から４１秒が経過したタイミングであることを示している。この再生時の経過時間に関する情報の近くには、それに並行して動画記録時の経過時間に関する情報が合成表示される。
【００１８】
この再生画面内の動画記録時の経過時間に関する情報は、ハイスピード撮影時にその撮影の開始時からの経過時間を時分秒１／１０００秒で示した案内情報であり、図示の例の“００時間００分０５秒１９９／１０００秒”は、再生中のフレーム画像の撮影タイミングとして、撮影開始から０５秒１９９／１０００秒が経過したタイミングであることを示している。この動画撮影時の経過時間に関する情報は、ハイスピード撮影された動画データを構成する各フレーム画像を逐次再生する毎にその再生中のフレーム画像に対応して算出されたもので、再生中のフレーム画像と共に表示される。更に、動画データの再生画面には、ハイスピード撮影時にユーザ操作によって任意に選択されたフレームレート、図示の例では、“ＨＳ（ハイスピード）２４０（２４０ｆｐｓ）”が案内情報として表示されると共に、現在の年月日時分情報、図示の例では、“１４年０５月２６日１０時０２分”が案内情報として表示される。
【００１９】
なお、動画データの再生画面には、早送り再生を指示したり、巻き戻し再生を指示したり、一時停止を指示したりする再生制御ボタン（タッチキー）ＳＥＴが設けられている。この再生制御ボタンＳＥＴは、例えば、タップ操作が行われる毎に“早送り再生”、“巻き戻し再生”、“一時停止”を順次指定可能なもので、“早送り再生”又は“巻き戻し再生”が指定されている状態において、ダブルタップ操作が行われる毎に早送り再生（スロー再生）の速度を段階的にアップ指定したり、巻き戻し再生時の速度を段階的にアップ指定したりするようにしている。
【００２０】
動画記録時の経過時間や動画再生時の経過時間は、動画データの再生中に再生が一時停止された場合に、それらの経過時間の変化が一時停止される。つまり、動画データの再生中に一時停止や早送りなどで再生速度が変化した場合であっても、同じフレームに対して算出及び表示される経過時間は変化しない。
また、動画データの再生を一時停止した状態で、ユーザ操作に応じて再生フレームをコマ送りすることも可能であり、この場合、動画記録時の経過時間については、１フレーム毎に１０００分の１秒単位で経過時間が変化し、動画再生時の経過時間については、複数フレーム毎に１秒単位で経過時間が変化するようになる。
【００２１】
次に、本実施形態におけるデジタルカメラの動作概念を図３〜図５に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。なお、図３〜図５は、デジタルカメラの全体動作のうち、本実施形態の特徴部分の動作概要を示したフローチャートであり、この図３のフロー、図４及び図５のフローから抜けた際には、全体動作のメインフロー（図示省略）に戻る。
【００２２】
図３は、動画撮影モードが選択された際に実行開始される動画撮影処理を示したフローチャートである。
制御部１は、ハイスピード撮影時のフレームレートとして、例えば、“３０ｆｐｓ”、“６０ｆｐｓ”、“１２０ｆｐｓ”、“２４０ｆｐｓ”、“４８０ｆｐｓ”、“１０００ｆｐｓ”を選択候補として一覧表示を表示させ、その一覧画面の中からユーザ操作によって任意のフレームレートが選択されると、その選択フレームレートを撮影フレームレートとして確定する（ステップＡ１）。そして、動画撮影の開始を指示する動画撮影開始／停止ボタンの操作待ち状態となる（ステップＡ２）。
【００２３】
いま、動画撮影開始／終了ボタンが操作されて動画撮影開始が指示されると（ステップＡ２でＹＥＳ）、上述の計時機能から現在日時を撮影開始日時として取得してワークメモリ３Ｂに一時記憶した後（ステップＡ３）、上述の選択フレームレート（撮影フレームレート）で動画撮影処理を実行する（ステップＡ４）。この場合、“１２０ｆｐｓ”、“２４０ｆｐｓ”、“４８０ｆｐｓ”、“１０００ｆｐｓ”のいずれかが選択された場合には、その撮影フレームレートに応じた高速度撮影（ハイスピード撮影）を実行する。
【００２４】
そして、再度、動画撮影開始／終了ボタンが操作されることによって動画撮影終了が指示されたかを調べ（ステップＡ５）、動画撮影の終了が指示されるまで動画撮影処理の実行を継続するが（ステップＡ４）、動画撮影の終了が指示されたときには（ステップＡ５でＹＥＳ）、撮影された動画データ（各フレーム画像）を動画ファイルとして記録保存すると共に、選択フレームレート（撮影フレームレート）の情報と撮影開始日時の情報を読み出し取得し、その動画ファイルのヘッダ部に付加してＳＤカードなどの画像メモリ３Ｃに記録保存する処理（ステップＡ６）を行った後、図３のフローから抜ける。
【００２５】
図４及び図５は、動画再生モードが選択された場合に実行開始される動画再生処理を示したフローチャートである。
制御部１は、動画データを再生する場合の再生フレームレート（ｆｒ１）を“３０ｆｐｓ”に設定する（図４のステップＢ１）。この場合、任意の再生フレームレートがユーザ操作によって選択された場合には、その選択フレームレートを再生フレームレートとして設定するが、いま、デフォルトである“３０ｆｐｓ”が設定されたものとする。そして、画像メモリ３Ｃに記憶保存されている各動画データ（例えば、タイトル名）を選択候補として一覧表示させ、その一覧画面の中からユーザ操作によって任意の動画データが選択されると、その選択された動画データとして再生対象として確定する（ステップＢ２）。そして、再生対象として選択された動画データの撮影フレームレート（ｆｒ２）をその動画ファイルのヘッダ部から読み出し取得（ステップＢ３）した後、再生時の経過時間（Ｔ１）を初期化（００．００．００）する処理を行う（ステップＢ４）。
【００２６】
ここで、再生フレームレート（ｆｒ１）と撮影フレームレート（ｆｒ２）とを比較し、ｆｒ２＞ｆｒ１の条件が成立するか否か、つまり、撮影フレームレートが再生フレームレートよりも速いか否かを調べ（ステップＢ５）、ｆｒ２＞ｆｒ１であれば（ステップＢ５でＹＥＳ）、撮影時の経過時間（Ｔ）２を初期化（００．００．００．０００）する処理を行う（ステップＢ６）。なお、ｆｒ２＝ｆｒ１又はｆｒ２＜ｆｒ１であれば（ステップＢ５でＮＯ）、撮影時の経過時間（Ｔ２）を初期化する処理（ステップＢ６）はスキップされる。
【００２７】
次に、動画データを構成する各フレーム画像のうち表示対象のフレーム画像を逐次指定するために現フレーム番号（ｎ）を初期化（１）する処理（ステップＢ７）を行った後、図５のフローに移り、動画再生の開始を指示する動画再生開始／停止ボタンの操作待ち状態となる（ステップＢ８）。いま、動画再生開始／終了ボタンが操作されて動画再生開始が指示されたときには（ステップＢ８でＹＥＳ）、現フレーム番号（ｎ）／再生フレームレート（ｆｒ１）の演算により再生時の経過時間（Ｔ１）に関する情報を更新する処理を行う（ステップＢ９）。これによって最初はＴ１＝１／３０秒が求められる。そして、現フレーム番号（ｎ）で指定されるフレーム画像を読み出し、このフレーム画像の一部に再生時の経過時間（Ｔ１）に関する情報を合成する処理（ステップＢ１０）を行った後、再生フレームレート（ｆｒ１）と撮影フレームレート（ｆｒ２）とを比較し、ｆｒ２＞ｆｒ１の条件が成立するか否かを調べる（ステップＢ１１）。
【００２８】
いま、撮影フレームレートが再生フレームレートよりも速く、ｆｒ２＞ｆｒ１の条件が成立する場合には（ステップＢ１１でＹＥＳ）、現フレーム番号（ｎ）／撮影フレームレート（ｆｒ２）の演算により動画撮影時の経過時間（Ｔ２）に関する情報を更新する処理を行う（ステップＢ１２）。この場合、撮影フレームレート（ｆｒ２）が“１２０ｆｐｓ”であれば、最初はＴ１＝１／１２０秒が求められる。そして、現フレーム番号（ｎ）で指定されるフレーム画像の一部に撮影時の経過時間（Ｔ２）に関する情報を合成する処理を行う（ステップＢ１３）。なお、ｆｒ２＝ｆｒ１又はｆｒ２＜ｆｒ１であれば（ステップＢ１１でＮＯ）、更新処理（ステップＢ１２）及び合成処理（ステップＢ１３）はスキップされる。
【００２９】
そして、合成後のフレーム画像をタッチ表示部６の再生画面に表示させると共に、撮影フレームレート及び現在の年月日時分情報を案内情報として表示させる（ステップＢ１４）。その結果、ｆｒ２＝ｆｒ１又はｆｒ２＜ｆｒ１であれば（ステップＢ１１でＮＯ）、フレーム画像には再生時の経過時間（Ｔ１）が案内情報として合成表示されると共に、撮影フレームレート及び現在の年月日時分情報を案内情報として表示されるが、ｆｒ２＞ｆｒ１であれば（ステップＢ１１でＹＥＳ）、更に撮影時の経過時間（Ｔ２）に関する情報が案内情報として合成表示される。
【００３０】
次に、表示フレームの更新タイミングに到達したか、つまり、１／ｆｒ１秒（１／３０秒）が経過したかを調べ（ステップＢ１５）、更新タイミングに達するまで待機状態となるが、更新タイミングに達したときには（ステップＢ１５でＹＥＳ）、表示対象のフレーム画像を指定する現フレーム番号（ｎ）に“１”を加算してその値を更新する処理を行う（ステップＢ１６）。これによって現フレーム番号（ｎ）の値は、１／３０秒毎に更新されるが、その更新タイミングは、１／３０秒に限らず、例えば、再生フレームレート（ｆｒ１）が“３０ｆｐｓ”であっても１／１０秒毎又は１／２０秒毎に現フレーム番号（ｎ）を更新するようにしてもよい。次に、再度、動画再生開始／終了ボタンが操作されることによって動画再生終了が指示されたかを調べ（ステップＡ１７）、動画再生の終了が指示されるまで上述のステップＢ９に戻り、以下、上述の動作を繰り返すが、動画再生の終了が指示されたときには（ステップＢ１７でＹＥＳ）、図４及び図５のフローから抜ける。
【００３１】
以上のように、本実施形態において制御部１は、指定された再生フレームレートとは異なる撮影フレームレートで記録された動画データを再生する場合に、その動画データを構成する各フレーム画像を再生フレームレートに応じた速度で逐次再生するが、その際、再生中のフレーム画像に対して、その動画記録時の経過時間に関する情報を撮影フレームレートに基づいて算出し、この動画記録時の経過時間に関する情報を案内情報として、再生中のフレーム画像と共に表示するようにしたので、動画の視認者にあってはその動画記録時における時間の経過状態を適切に確認しながら動画を鑑賞することが可能となる。これによって、例えば、撮影開始から所望する時間（例えば、５秒）が経過したタイミングで再生動作の一時停止を指示したり、早送り再生を指示したりすることができる。この場合、早送り再生や巻き戻し再生を指示したとしても、動画記録時の経過時間に関する情報は、再生中のフレーム画像を撮影したタイミングを示すものとなる。
【００３２】
制御部１は、再生中のフレーム画像の個々に対して、その再生時の経過時間に関する情報を再生フレームレートに基づいて算出し、この再生時の経過時間に関する情報を案内情報として再生中のフレーム画像と共に表示するようにしたので、動画の視認者にあっては動画記録時の経過時間に関する情報と共に再生時の経過時間に関する情報も併せて確認することができる。
【００３３】
制御部１は、動画記録時の経過時間に関する情報を再生中のフレーム画像と共に表示する否かを所定の条件に応じて制御するようにしたので、動画記録時の経過時間に関する情報を必要に応じて案内することができる。
【００３４】
制御部１は、撮影フレームレートと再生フレームレートとが異なることを条件として、動画記録時の経過時間に関する情報を再生中のフレーム画像と共に表示するようにしたので、再生フレームレートと撮影フレームレートとの関係を基に動画記録時の経過時間に関する情報を案内することができる。
【００３５】
制御部１は、撮影フレームレートが再生フレームレートよりも速いことを条件として、動画記録時の経過時間に関する情報を再生中のフレーム画像と共に表示するようにしたので、再生フレームレートが撮影フレームレートよりも遅い場合に動画記録時の経過時間に関する情報を案内することができる。
【００３６】
制御部１は、所定の撮影フレームレートに応じた表示サイズで動画データを再生することを条件として、動画記録時の経過時間に関する情報を再生中のフレーム画像と共に表示するようにしたので、撮影フレームレートに応じた表示サイズに基づいて動画記録時の経過時間に関する情報を案内することができる。
【００３７】
制御部１は、計時機能によって計時された現在の日時情報を再生中のフレーム画像と共に表示するようにしたので、動画の視認者にあっては、再生時の経過時間に関する情報、動画記録時の経過時間に関する情報のほか、動画データの再生が一時停止された場合であっても時刻の経過が一時停止されることのない現在の日時情報をも併せて確認することができる。
【００３８】
なお、上述した実施形態においては、動画記録時の経過時間に関する情報を再生中のフレーム画像と共に表示する否かを所定の条件に応じて制御するようにしたが、再生時の経過時間に関する情報を表示する場合においても再生中のフレーム画像と共に表示する否かを所定の条件に応じて制御するようにすれば、再生時の経過時間に関する情報を必要に応じて案内することができる。この所定の条件は、ユーザが任意に指定した条件であってもよい。
【００３９】
また、上述した実施形態においては、現フレーム番号（ｎ）／撮影フレームレート（ｆｒ２）の演算により動画撮影時の経過時間（Ｔ２）に関する情報を更新する処理を行うようにしたが、その算出する方法は、任意である。例えば、撮影フレームレートが“２４０ｆｐｓ”、再生フレームレートが“３０ｆｐｓ”の場合には、動画再生時の経過時間に対して３０／２４０倍の速度でカウント動作を行う計測カウンタの値を動画記録時の経過時間に関する情報として求めるようにしてもよい。
【００４０】
また、上述した実施形態においては、動画記録時の経過時間に関する情報として、動画撮影開始時からの経過時間を示したが、動画撮影開始時からの経過時刻であってもよい。この場合、制御部１は、動画データの再生を開始する際に、動画撮影時に動画データに付加した撮影開始時刻（図３のステップＡ６を参照）を読み出し、この撮影開始時刻に動画記録時の経過時間を加算することによって撮影開始時からの経過時刻を算出して再生中のフレーム画像と共に表示するようにしてもよい。例えば、撮影開始時刻が“２０１４年２月１０日午前５時００分００秒”の場合に、動画記録時の経過時間に関する情報として、再生開始時には“２０１４．０２．１０．０５：００：００：０００”を案内表示させ、再生開始時から５秒が経過した時点では、“２０１４．０２．１０．０５：００：０５：０００”を案内表示させるようにしてもよい。これによって例えば、日の出の瞬間を撮影した動画であれば、実際の日の出の日時（撮影日時）を案内することができる。
【００４１】
更に、動画記録時の経過時間に関する情報としては、数値列データを表示する場合に限らず、動画記録時の経過時間の表示を例えば、グラフ表示やレベル表示などで行うようにしてもよい。同様に、再生時の経過時間に関する情報も経過時間に限らず、再生開始時からの再生時刻であってもよく、更に、数値列データの表示に限らず、例えば、グラフ表示やレベル表示などで行うようにしてもよい。
【００４２】
また、上述した実施形態においては、動画記録時の経過時間に関する情報及び再生時の経過時間に関する情報を、再生中のフレーム画像内に合成して表示するようにしたが、このような画像合成処理は行わず、例えば、再生中のフレーム画像が表示されている領域の周辺部に、動画記録時の経過時間に関する情報及び再生時の経過時間に関する情報を案内情報として表示するようにしてもよい。
【００４３】
また、上述した実施形態においては、撮影フレームレートが再生フレームレートよりも速い場合、つまり、ハイスピード撮影された動画データをスローモーション再生する場合を例示したが、ハイスピード撮影された動画データに限らず、例えば、インターバル撮影や微速度撮影による流れゆく雲とか、花の開花などを撮影した動画データを早送り状態で再生する場合に適用するようにしてもよい。この場合、例えば、“１／１０ｆｐｓ”、“１ｆｐｓ”、“１０ｆｐｓ”のフレームレートのいずれかで撮影した動画データを“３０ｆｐｓ”で再生する場合でも、動画記録時の経過時間（撮影フレームレートに基づいて算出された経過時間）に関する情報及び再生時の経過時間（再生フレームレートに基づいて算出された経過時間）に関する情報を再生中のフレーム画像と共に表示するようにすればよい。
【００４４】
また、上述した実施形態においては、動画データ再生装置としてデジタルカメラに適用した場合を示したが、カメラに限らず、カメラ機能付きパーソナルコンピュータ・ＰＤＡ（個人向け携帯型情報通信機器）・スマートフォンなどの携帯電話機・タブレット端末装置・音楽プレイヤなどであってもよく、勿論、ＤＶＤプレイヤなどであってもよい。
【００４５】
また、上述した実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００４６】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
指定された再生フレームレートとは異なる撮影フレームレートで記録された動画データを再生する場合に、その動画データを構成する各フレーム画像を前記再生フレームレートに応じた速度で逐次再生する再生手段と、
前記再生手段による再生中のフレーム画像に対して、その動画記録時の経過時間に関する情報を前記撮影フレームレートに基づいて算出する第１の算出手段と、
前記第１の算出手段によって算出された動画記録時の経過時間に関する情報を案内情報として、前記再生中のフレーム画像と共に表示する案内情報表示手段と、
を備えたことを特徴とする動画データ再生装置。
（請求項２）
請求項２に記載の発明は、請求項１に記載の動画データ再生装置において、
前記再生手段による再生中のフレーム画像の個々に対して、その再生時の経過時間に関する情報を前記再生フレームレートに基づいて算出する第２の算出手段を更に備え、
前記案内情報表示手段は、前記第２の算出手段によって算出された再生時の経過時間に関する情報を案内情報として、前記再生中のフレーム画像と共に表示する、
ことを特徴とする。
（請求項３）
請求項３に記載の発明は、請求項１又は請求項２に記載の動画データ再生装置において、
前記案内情報表示手段は、前記第１の算出手段によって算出された動画記録時の経過時間に関する情報を、前記再生中のフレーム画像と共に表示する否かを所定の条件に応じて制御する、
ことを特徴とする。
（請求項４）
請求項４に記載の発明は、請求項３に記載の動画データ再生装置において、
前記案内情報表示手段は、前記撮影フレームレートと前記再生フレームレートとが異なることを条件として、前記第１の算出手段によって算出された動画記録時の経過時間に関する情報を、前記再生中のフレーム画像と共に表示する、
ことを特徴とする。
（請求項５）
請求項５に記載の発明は、請求項４に記載の動画データ再生装置において、
前記案内情報表示手段は、前記撮影フレームレートが前記再生フレームレートよりも速いことを条件として、前記第１の算出手段によって算出された動画記録時の経過時間に関する情報を、前記再生中のフレーム画像と共に表示する、
ことを特徴とする。
（請求項６）
請求項６に記載の発明は、請求項３に記載の動画データ再生装置において、
前記案内情報表示手段は、所定の撮影フレームレートに応じた表示サイズで動画データを再生することを条件として、前記第１の算出手段によって算出された動画記録時の経過時間に関する情報を前記再生中のフレーム画像と共に表示する、
ことを特徴とする。
（請求項７）
請求項７に記載の発明は、請求項２に記載の動画データ再生装置において、
前記案内情報表示手段は、前記第１の算出手段によって算出された動画記録時の経過時間に関する情報と前記第２の算出手段によって算出された動画再生時の経過時間に関する情報とを同時に前記案内情報として前記再生中のフレーム画像と共に表示する、
ことを特徴とする。
（請求項８）
請求項８に記載の発明は、請求項７に記載の動画データ再生装置において、
前記案内情報表示手段は、前記動画記録時の経過時間に関する情報については、１フレーム毎に異なる経過時間を前記案内情報として表示し、前記動画再生時の経過時間に関する情報については、複数フレーム毎に異なる経過時間を前記案内情報として表示する
ことを特徴とする。
（請求項９）
請求項９に記載の発明は、請求項８に記載の動画データ再生装置において、
前記案内情報表示手段は、前記動画記録時の経過時間に関する情報については、１０分の１秒以下の単位で経過時間を変化させて前記案内情報として表示し、前記動画再生時の経過時間に関する情報については、１秒以上の単位で経過時間を変化させて前記案内情報として表示する
ことを特徴とする。
（請求項１０）
請求項１０に記載の発明は、請求項７に記載の動画データ再生装置において、
前記再生手段による動画データの再生中に、再生を一時停止する再生速度制御手段を更に備え、
前記案内情報表示手段は、前記再生速度制御手段により再生が一時停止された場合に、前記動画再生時の経過時間の変化及び前記動画再生時の経過時間の変化を一時停止する、
ことを特徴とする。
（請求項１１）
請求項１１に記載の発明は、請求項１〜請求項７のいずれか１項に記載の動画データ再生装置において、
時刻情報を計時する計時手段を更に備え、
前記案内情報表示手段は、前記計時手段によって計時された時刻情報を、前記再生中のフレーム画像と共に表示する、
ことを特徴とする。
（請求項１２）
請求項１２に記載の発明は、
指定された再生フレームレートとは異なる撮影フレームレートで記録された動画データを再生する場合に、その動画データを構成する各フレーム画像を前記再生フレームレートに応じた速度で逐次再生するが、その際、前記再生中のフレーム画像に対して、その動画記録時の経過時間に関する情報を前記撮影フレームレートに基づいて算出するステップと、
前記算出された動画記録時の経過時間に関する情報を案内情報として、前記再生中のフレーム画像と共に表示するステップと、
を含むことを特徴とする動画データ再生方法。
（請求項１３）
請求項１３に記載の発明は、
コンピュータに対して、
指定された再生フレームレートとは異なる撮影フレームレートで記録された動画データを再生する場合に、その動画データを構成する各フレーム画像を前記再生フレームレートに応じた速度で逐次再生する機能と、
前記再生中のフレーム画像に対して、その動画記録時の経過時間に関する情報を前記撮影フレームレートに基づいて算出する機能と、
前記算出された動画記録時の経過時間に関する情報を案内情報として、前記再生中のフレーム画像と共に表示する機能と、
を実現させるためのプログラム。
【符号の説明】
【００４７】
１  制御部
３  記憶部
３Ａ  プログラムメモリ
３Ｃ  画像メモリ
４  操作部
５  撮像部
６  タッチ表示部
【図１】
2015226306.tif 000003
【図２】
2015226306.tif 000004
【図３】
2015226306.tif 000005
【図４】
2015226306.tif 000006
【図５】
2015226306.tif 000007